(57)【要約】  本願明細書及び図面は，（ユーザ装置が設定されているセルを支援する）ノードＢの結合能力情報をＨＳＵＰＡ（高速アップリンクパケット接続）に関連する無線ネットワーク制御装置に提供する新規な方法と，システムと，装置と，ソフトウェア製品とを提示する。ノードＢは中でも，例えば増分冗長（ＩＲ）結合及び／又はＣｈａｓｅ結合に対応することができる。更に，ノードＢの結合能力情報は，例えばアップリンク強化専用チャネル（Ｅ−ＤＣＨ）上で受信されるデータを結合させるためのものであってよい。
2009515396.tif 000002
【特許請求の範囲】
【請求項１】
無線通信システムのセルのノードＢの結合能力情報を少なくとも１つの無線ネットワーク制御装置に通知する通知ステップを有する方法。
【請求項２】
前記結合能力情報は，前記ノードＢが前記セルに関して，ａ）増分冗長結合，ｂ）Ｃｈａｓｅ結合，又はｃ）前記増分冗長結合及びＣｈａｓｅ結合双方，に対応しているかどうかを示す１つの情報要素を含む請求項１に記載の方法。
【請求項３】
前記結合能力情報は，２つの情報要素を含み，前記２つの情報要素の１つは前記ノードＢが前記セルに関して増分冗長結合に対応するように構成されているかどうかを示し，前記２つの情報要素のもう１つは前記ノードＢが前記セルに関してＣｈａｓｅ結合に対応するように構成されているかどうかを示す請求項１に記載の方法。
【請求項４】
前記結合能力情報は，１又は複数の情報要素を含む請求項１に記載の方法。
【請求項５】
前記結合能力情報は，アップリンク強化専用チャネル上で受信されたデータを結合するためのものとする請求項１に記載の方法。
【請求項６】
前記通知ステップは，前記ノードＢが前記セルの前記ノードＢの前記結合能力情報を，前記少なくとも１つの無線ネットワーク制御装置の前記ノードＢを支援する無線ネットワーク制御装置に提供する提供ステップを含む請求項１に記載の方法。
【請求項７】
前記結合能力情報は，ユーザ装置との通信を提供するためのセル設定中に，前記ノードＢが前記ノードＢを支援する前記無線ネットワーク制御装置に提供する請求項６に記載の方法。
【請求項８】
前記提供ステップは，ノードＢアプリケーション部メッセージ信号を用いて実現する請求項６に記載の方法。
【請求項９】
前記ノードＢを支援する前記無線ネットワーク制御装置が，前記結合能力情報を記憶するステップを更に有する請求項６に記載の方法。
【請求項１０】
前記通知ステップが更に，前記ノードＢを支援する前記無線ネットワーク制御装置が，前記セルの前記ノードＢの前記結合能力情報を前記少なくとも１つの無線ネットワーク制御装置の更なるノードＢを支援する更なる無線ネットワーク制御装置に提供する更なる提供ステップを有し，前記更なる無線ネットワーク制御装置はサービス提供無線ネットワーク制御装置とする請求項６に記載の方法。
【請求項１１】
前記ノードＢを支援する前記無線ネットワーク制御装置は，前記更なるノードＢが支援するセルから，前記ノードＢが支援する別のセルに前記ユーザ装置がソフトハンドオーバする際に，ユーザ装置との通信を提供する前記サービス提供無線ネットワーク制御装置を支援するドリフト無線ネットワーク制御装置として構成し，前記更なる提供ステップは，前記ユーザ装置の前記ソフトハンドオーバに応答して前記提供ステップの後で実行する請求項１０に記載の方法。
【請求項１２】
前記通知ステップは，前記ノードＢを支援する無線ネットワーク制御装置が前記セルの前記ノードＢの前記結合能力情報を前記少なくとも１つの無線ネットワーク制御装置の更なるノードＢを支援する更なる無線ネットワーク制御装置に提供するステップを有し，前記更なる無線ネットワーク制御装置はサービス提供無線ネットワーク制御装置とする請求項１に記載の方法。
【請求項１３】
前記提供ステップは，無線ネットワークサブシステムアプリケーション部メッセージ信号を用いて実現する請求項１２に記載の方法。
【請求項１４】
計算機プロセッサが実行するための計算機プログラムコードを組み込んだ計算機可読記憶構造を備えた計算機プログラム製品であって，前記計算機プログラムコードは，前記ノードＢ又は前記少なくとも１つの無線ネットワーク制御装置の任意のコンポーネント又はコンポーネントの組合せが実行するように指示された，請求項１に記載の方法を実行する命令を含む計算機プログラム製品。
【請求項１５】
通信システムのセルのノードＢの結合能力情報を少なくとも１つの無線ネットワーク制御装置に提供するスケジュールモジュールを備えるネットワーク要素。
【請求項１６】
前記結合能力情報を記憶するメモリを更に備える請求項１５に記載のネットワーク要素。
【請求項１７】
前記スケジュールモジュールが提供する前記結合能力情報を，前記少なくとも１つのネットワーク要素に送信する送信モジュールを更に備える請求項１５に記載のネットワーク要素。
【請求項１８】
前記結合能力情報は，前記ノードＢが前記セルに関して，ａ）増分冗長結合，ｂ）Ｃｈａｓｅ結合，又はｃ）前記増分冗長結合及びＣｈａｓｅ結合双方，に対応しているかどうかを示す１つの情報要素を含む請求項１５に記載のネットワーク要素。
【請求項１９】
前記結合能力情報は，２つの情報要素を含み，前記２つの情報要素の１つは前記ノードＢが前記セルに関して増分冗長結合に対応するように構成されているかどうかを示し，前記２つの情報要素のもう１つは前記ノードＢが前記セルに関してＣｈａｓｅ結合に対応するように構成されているかどうかを示す請求項１５に記載のネットワーク要素。
【請求項２０】
前記結合能力情報は１又は複数の情報要素を含む請求項１５に記載のネットワーク要素。
【請求項２１】
前記結合能力情報は，アップリンク強化専用チャネル上で受信されたデータを結合するためのものとする請求項１５に記載のネットワーク要素。
【請求項２２】
前記ネットワーク要素は前記ノードＢとし，前記セルの前記ノードＢの前記結合能力情報は，前記少なくとも１つの無線ネットワーク制御装置の前記ノードＢを支援する無線ネットワーク制御装置に提供される請求項１５に記載のネットワーク要素。
【請求項２３】
前記結合能力情報は，ユーザ装置との通信を提供するためのセル設定中に，前記ノードＢが前記ノードＢを支援する前記無線ネットワーク制御装置に提供する請求項２２に記載のネットワーク要素。
【請求項２４】
前記提供は，ノードＢアプリケーション部メッセージ信号を用いて実現する請求項２２に記載のネットワーク要素。
【請求項２５】
前記ネットワーク要素は，前記ノードＢを支援し，前記セルの前記ノードＢの前記結合能力情報を前記少なくとも１つの無線ネットワーク制御装置の更なるノードＢを支援する更なる無線ネットワーク制御装置に提供するように構成された無線ネットワーク制御装置とし，前記更なる無線ネットワーク制御装置はサービス提供無線ネットワーク制御装置とする請求項２２に記載のネットワーク要素。
【請求項２６】
前記セルの前記ノードＢの前記結合能力情報は，前記ノードＢが前記無線ネットワーク制御装置に前もって提供する請求項２５に記載のネットワーク要素。
【請求項２７】
前記提供は，無線ネットワークサブシステムアプリケーション部メッセージ信号を用いて実現する請求項２５に記載のネットワーク要素。
【請求項２８】
前記ノードＢを支援する前記無線ネットワーク制御装置は，前記更なるノードＢが支援するセルから，前記ノードＢが支援する別のセルに前記ユーザ装置がソフトハンドオーバする際に，ユーザ装置との通信を提供する前記サービス提供無線ネットワーク制御装置を支援するドリフト無線ネットワーク制御装置として構成する請求項２５に記載のネットワーク要素。
【請求項２９】
集積回路が前記ユーザ装置のすべて又は選択されたブロック又はモジュールを含む請求項１５に記載のネットワーク要素。
【請求項３０】
ノードＢと，
少なくとも１つの無線ネットワーク制御装置と，
を備え，
セルのノードＢの結合能力情報が前記少なくとも１つのネットワーク要素に提供される無線通信システム。
【請求項３１】
前記ノードＢは，前記結合能力情報を前記少なくとも１つの無線ネットワーク制御装置の前記ノードＢを支援する無線ネットワーク制御装置に提供するように構成する請求項３０に記載のシステム。
【請求項３２】
前記ノードＢを支援する前記無線ネットワーク制御装置は，前記結合能力情報を記憶するように構成する請求項３１に記載のシステム。
【請求項３３】
前記ノードＢを支援する前記無線ネットワーク制御装置は，前記セルの前記ノードＢの前記結合能力情報を前記少なくとも１つの無線ネットワーク制御装置の更なるノードＢを支援する更なる無線ネットワーク制御装置に提供するように更に構成し，前記結合能力情報は前記ノードＢが前記無線ネットワーク制御装置に前もって提供する請求項３１に記載のシステム。
【請求項３４】
前記ノードＢを支援する前記無線ネットワーク制御装置は，前記更なるノードＢが支援するセルから，前記ノードＢが支援する別のセルに前記ユーザ装置がソフトハンドオーバする際に，ユーザ装置との通信を提供する前記サービス提供無線ネットワーク制御装置を支援するドリフト無線ネットワーク制御装置として構成する請求項３３に記載のシステム。
【請求項３５】
通信システムのセルのノードＢの結合能力情報を少なくとも１つの無線ネットワーク制御装置に提供するスケジュール手段を備えるネットワーク要素。
【請求項３６】
前記結合能力情報を記憶する手段を更に備える請求項３５に記載のネットワーク要素。
【発明の詳細な説明】
【技術分野】
【０００１】
本発明は概略無線通信に関し，より詳細に言えばセルのノードＢの結合能力情報をＨＳＵＰＡ（高速アップリンクパケット接続）に関連する無線ネットワーク制御装置に提供（通知）することに関する。
【背景技術】
【０００２】
再送信シーケンス番号（ＲＳＮ）に基づく冗長度バージョン（ＲＶ）インデクスを用いる増分冗長度（ＩＲ）結合と，Ｃｈａｓｅ結合（ゼロであるＲＶインデクスを有する）とをアップリンク強化専用チャネル（Ｅ−ＤＣＨ）に用いることが合意されており，元々はＵＴＲＡＮ（はん用移動体通信システム（ＵＭＴＳ）地上無線接続ネットワーク）を用いる３Ｇ（第３世代）移動体無線通信において，ノードＢがこれら２つの結合のうちいずれか１つに対応することになっていた。これら結合能力は通常，ユーザ装置（ＵＥ）のサービス提供無線ネットワーク制御装置（ＳＲＮＣ）に知られており，そのＳＲＮＣはノードＢを支援する制御無線ネットワーク制御装置（ＣＲＮＣ）であるか，又はソフトハンドオーバ（ＳＨＯ）の際にノードＢを支援するドリフトＲＮＣ（ＤＲＮＣ）を用いるノードＢと通信するＳＲＮＣである。そして，ＵＥのＥ−ＤＣＨ活性集合におけるセル（すなわちこのセルを支援するノードＢ）は別の結合を実行し，ＵＥは１つの結合だけを用いるので，したがってＳＨＯ利得は限定される。ＳＲＮＣがどの結合をノードＢが実行するかを示すときにも，同じことが適用される。
【０００３】
ＨＡＲＱに関するＣｈａｓｅ結合は，データパケットが正しく受信されなかったとき，受信器が軟シンボルを記憶し（例えば，０及び１を記憶する代わりに，ビットが０であったか１であったかの確率を記憶する），再送信を要求する方式である。送信器は正確に同一のパケットを再度送信し，受信器は前の送信試行の際の軟シンボルと，新規送信とを，そのシンボルについての硬判定を行い，パケットの復号を試行する前に結合する。
【０００４】
ＨＡＲＱに関する増分冗長度（ＩＲ）は，データパケットが正しく受信できなかったとき，受信機がパケットを記憶し，再送信を要求する方式である。送信器は正確に同一のパケットを送信しないが，デコーダ処理が誤り訂正デコーダを補助する追加ビットとして用いる追加の冗長ビットが正しいデータパケットをもたらす。実際にはＩＲ方式はＣｈａｓｅ方式への追加であって，再送信が前に送信されたいくつかのビットも含んでもよい。
【０００５】
通常ＩＲ方式は，最初の送信試行においては情報ビットだけを送信し，冗長ビットをほとんど送信しないことによって最高のデータ速度を達成するので，受信器に更なるバッファメモリを要求することはなく，したがって後続の再送信は記憶する追加ビットだけを含む。
【発明の開示】
【課題を解決するための手段】
【０００６】
本発明の第１態様によれば，方法は無線通信システムのセルのノードＢの結合能力情報を少なくとも１つの無線ネットワーク制御装置に通知する通知ステップを有する。
【０００７】
更に本発明の第１態様によれば，上記結合能力情報は，上記ノードＢが上記セルに関して，ａ）増分冗長結合，ｂ）Ｃｈａｓｅ結合，又はｃ）上記増分冗長結合及びＣｈａｓｅ結合双方，に対応しているかどうかを示す１つの情報要素を含んでもよい。
【０００８】
更に本発明の第１態様によれば，上記結合能力情報は，２つの情報要素を含み，上記２つの情報要素の１つは上記ノードＢが上記セルに関して増分冗長結合に対応するように構成されているかどうかを示し，上記２つの情報要素のもう１つは上記ノードＢが上記セルに関してＣｈａｓｅ結合に対応するように構成されているかどうかを示してもよい。
【０００９】
また更に本発明の第１態様によれば，上記結合能力情報は，１又は複数の情報要素を含んでもよい。
【００１０】
更に本発明の第１態様によれば，上記結合能力情報は，アップリンク強化専用チャネル上で受信されたデータを結合するためのものであってよい。
【００１１】
また更に本発明の第１態様によれば，上記通知ステップは，上記ノードＢが上記セルの上記ノードＢの上記結合能力情報を，上記少なくとも１つの無線ネットワーク制御装置の上記ノードＢを支援する無線ネットワーク制御装置に提供する提供ステップを含んでもよい。更に請求項６の方法において，上記結合能力情報は，ＵＥとの通信を提供するためのセル設定中に，上記ノードＢが上記ノードＢを支援する上記無線ネットワーク制御装置に提供してもよい。また更に，上記提供ステップは，ノードＢアプリケーション部メッセージ信号を用いて実現してもよい。また更に，上記ノードＢを支援する上記無線ネットワーク制御装置が，上記結合能力情報を記憶するステップを更に有してもよい。
【００１２】
また更に本発明の第１態様によれば，上記通知ステップが更に，上記ノードＢを支援する上記無線ネットワーク制御装置が，上記セルの上記ノードＢの上記結合能力情報を上記少なくとも１つの無線ネットワーク制御装置の更なるノードＢを支援する更なる無線ネットワーク制御装置に提供する更なる提供ステップを有してもよく，上記更なる無線ネットワーク制御装置はサービス提供無線ネットワーク制御装置である。更に，上記ノードＢを支援する上記無線ネットワーク制御装置は，上記更なるノードＢが支援するセルから，上記ノードＢが支援する別のセルに上記ＵＥがソフトハンドオーバする際に，ＵＥとの通信を提供する上記サービス提供無線ネットワーク制御装置を支援するドリフト無線ネットワーク制御装置として構成してもよく，上記更なる提供ステップは，上記ＵＥの上記ソフトハンドオーバに応答して上記提供ステップの後で実行される。
【００１３】
また更に本発明の第１態様によれば，上記通知ステップは，上記ノードＢを支援する無線ネットワーク制御装置が上記セルの上記ノードＢの上記結合能力情報を上記少なくとも１つの無線ネットワーク制御装置の更なるノードＢを支援する更なる無線ネットワーク制御装置に提供するステップを有し，上記更なる無線ネットワーク制御装置はサービス提供無線ネットワーク制御装置であってもよい。更に，上記提供ステップは，無線ネットワークサブシステムアプリケーション部メッセージ信号を用いて実現してもよい。
【００１４】
本発明の第２態様によれば，計算機プログラム製品は，計算機プロセッサが実行するための計算機プログラムコードを組み込んだ計算機可読記憶構造を備え，前記計算機プログラムコードは，前記ノードＢ又は前記少なくとも１つの無線ネットワーク制御装置の任意のコンポーネント又はコンポーネントの組合せが実行するように指示された，本発明の第１態様に記載の方法を実行する命令を含む。
【００１５】
本発明の第３態様によれば，ネットワーク要素は通信システムのセルのノードＢの結合能力情報を少なくとも１つの無線ネットワーク制御装置に提供するスケジュールモジュールを備える。
【００１６】
更に本発明の第３態様によれば，ネットワーク要素は上記結合能力情報を記憶するメモリを更に備えてもよい。
【００１７】
また更に本発明の第３態様によれば，ネットワーク要素は，上記スケジュールモジュールが提供する上記結合能力情報を，上記少なくとも１つのネットワーク要素に送信する送信モジュールを更に備えてもよい。
【００１８】
更に本発明の第３態様によれば，上記結合能力情報は，上記ノードＢが上記セルに関して，ａ）増分冗長結合，ｂ）Ｃｈａｓｅ結合，又はｃ）上記増分冗長結合及びＣｈａｓｅ結合双方，に対応しているかどうかを示す１つの情報要素を含んでもよい。
【００１９】
また更に本発明の第３態様によれば，上記結合能力情報は，２つの情報要素を含み，上記２つの情報要素の１つは上記ノードＢが上記セルに関して増分冗長結合に対応するように構成されているかどうかを示し，上記２つの情報要素のもう１つは上記ノードＢが上記セルに関してＣｈａｓｅ結合に対応するように構成されているかどうかを示してもよい。
【００２０】
また更に本発明の第３態様によれば，上記結合能力情報は１又は複数の情報要素を含んでもよい。
【００２１】
また更に本発明の第３態様によれば，上記結合能力情報は，アップリンク強化専用チャネル上で受信されたデータを結合するためのものであってよい。
【００２２】
また更に本発明の第３態様によれば，上記ネットワーク要素は上記ノードＢであってよく，上記セルの上記ノードＢの上記結合能力情報を，上記少なくとも１つの無線ネットワーク制御装置の上記ノードＢを支援する無線ネットワーク制御装置に提供してもよい。更に，上記結合能力情報を，ＵＥとの通信を提供するためのセル設定中に，上記ノードＢが上記ノードＢを支援する上記無線ネットワーク制御装置に提供してもよい。また更に，上記提供は，ノードＢアプリケーション部メッセージ信号を用いて実現してもよい。
【００２３】
また更に本発明の第３態様によれば，上記ネットワーク要素は，上記ノードＢを支援し，上記セルの上記ノードＢの上記結合能力情報を上記少なくとも１つの無線ネットワーク制御装置の更なるノードＢを支援する更なる無線ネットワーク制御装置に提供するように構成された無線ネットワーク制御装置であってよく，上記更なる無線ネットワーク制御装置はサービス提供無線ネットワーク制御装置である。更に，上記セルの上記ノードＢの上記結合能力情報は，上記ノードＢが上記無線ネットワーク制御装置に前もって提供してもよい。また更に，上記提供は，無線ネットワークサブシステムアプリケーション部メッセージ信号を用いて実現してもよい。また更に，上記ノードＢを支援する上記無線ネットワーク制御装置は，上記更なるノードＢが支援するセルから，上記ノードＢが支援する別のセルに上記ＵＥがソフトハンドオーバする際に，ＵＥとの通信を提供する上記サービス提供無線ネットワーク制御装置を支援するドリフト無線ネットワーク制御装置として構成してもよい。また更に，集積回路が前記ＵＥのすべて又は選択されたブロック又はモジュールを含んでもよい。
【００２４】
本発明の第４態様によれば，無線通信システムは，ノードＢと，少なくとも１つの無線ネットワーク制御装置と，を備え，セルのノードＢの結合能力情報が前記少なくとも１つのネットワーク要素に提供される。
【００２５】
更に本発明の第４態様によれば，上記ノードＢは，上記結合能力情報を上記少なくとも１つの無線ネットワーク制御装置の上記ノードＢを支援する無線ネットワーク制御装置に提供するように構成してもよい。
【００２６】
更に本発明の第４態様によれば，上記ノードＢを支援する上記無線ネットワーク制御装置は，上記結合能力情報を記憶するように構成してもよい。
【００２７】
また更に本発明の第４態様によれば，上記ノードＢを支援する上記無線ネットワーク制御装置は，上記セルの上記ノードＢの上記結合能力情報を上記少なくとも１つの無線ネットワーク制御装置の更なるノードＢを支援する更なる無線ネットワーク制御装置に提供するように更に構成してもよく，上記結合能力情報は上記ノードＢが上記無線ネットワーク制御装置に前もって提供してもよい。
【００２８】
更に本発明の第４態様によれば，上記ノードＢを支援する上記無線ネットワーク制御装置は，上記更なるノードＢが支援するセルから，上記ノードＢが支援する別のセルに上記ＵＥがソフトハンドオーバする際に，ＵＥとの通信を提供する上記サービス提供無線ネットワーク制御装置を支援するドリフト無線ネットワーク制御装置として構成してもよい。
【００２９】
本発明の第５態様によれば，ネットワーク要素は，通信システムのセルのノードＢの結合能力情報を少なくとも１つの無線ネットワーク制御装置に提供するスケジュール手段を備える。
【００３０】
更に本発明の第５態様によれば，上記結合能力情報を記憶する手段を更に備えてもよい。
【発明を実施するための最良の形態】
【００３１】
本発明の本質及び目的をよく理解するために，添付の図面に関連する以降の詳細な説明を参照する。
【００３２】
（ＵＥが設定されているセルを支援する）ノードＢの結合能力情報を，例えばＦＤＤ（周波数分割２重）能力のために，ＨＳＵＰＡ（高速アップリンクパケット接続）に関連する無線ネットワーク制御装置に提供（通知）する新規な方法と，システムと，装置と，ソフトウェアと，が提示される。ノードＢは中でも，例えば増分冗長（ＩＲ）結合及び／又はＣｈａｓｅ結合に対応することができる。更にノードＢの結合能力情報は，例えばアップリンク強化専用チャネル（Ｅ−ＤＣＨ）上で受信されるデータを結合するためのものであってよい。
【００３３】
一般に，結合能力情報は１又は複数の情報要素を含むことができる。本発明の１つの実施例によれば，ノードＢのこの結合能力情報は，ノードＢが，ａ）増分冗長結合，ｂ）Ｃｈａｓｅ結合，又はｃ）増分冗長結合及びＣｈａｓｅ結合双方，に対応しているかどうかを示す１つの情報要素を含んでもよい。本発明の別の実施例によれば，ノードＢのこの結合能力情報は，次のことを示す２つの情報要素を含むことができる。２つの情報要素の１つはノードＢがセルに関して増分冗長結合に対応するように構成されているかどうかを示し，２つの情報要素のもう１つはノードＢがセルに関してＣｈａｓｅ結合に対応するように構成されているかどうかを示す。
【００３４】
本発明の更なる実施例によれば，例えばユーザ装置（ＵＥ）との通信を提供するためのセル設定中に，ノードＢの結合能力情報を制御無線ネットワーク制御装置（ＣＲＮＣ）に提供することができる。この通知は，例えば最初のセル設定中に行ってもよく，セル設定に必要な構成情報及びほかの能力情報（例えばＨＳＤＰＡ能力）がノードＢからＣＲＮＣに提供される。本発明の実施例によれば，ノードＢからＣＲＮＣへの通知は，Ｉｕｂインタフェース上のノードＢアプリケーション部（ＮＢＡＰ）メッセージを用いて提供することができる。結合能力情報は，通常，ノードＢのメモリ及び／又はＣＲＮＣのメモリに記憶することができることに注意されたい。
【００３５】
本発明の更なる実施例によれば，ノードＢの結合能力情報の通知は，上記ノードＢを支援するＣＲＮＣによって更なるノードＢを支援する更なるＲＮＣに，更に提供し，又は独立に提供することができる（結合能力情報は，ノードＢが提供してもよいし，上述のとおりノードＢが提供した後でＣＲＮＣのメモリに記憶してもよいし，運用管理（Ｏ＆Ｍ）によって独立に提供してもよい）。ここで上記の更なるＲＮＣ機能は，例えばサービス提供ＲＮＣ（ＳＲＮＣ）であってよい。ＣＲＮＣからＳＲＮＣへの結合能力情報のこの更なる提供ステップは，例えばＳＨＯの際のノードＢからＣＲＮＣへの最初の提供ステップに続くものでもよいし，独立のステップであってもよい。更に，ノードＢの結合能力情報の更なる提供ステップの際に，更なるノードＢが支援するセルから上記のノードＢが支援する別のセルへのＵＥのＳＨＯの際にＵＥとの通信を提供するＳＲＮＣを支援するドリフト無線ネットワーク制御装置（ＤＲＮＣ）として，ＣＲＮＣが構成されることに注意されたい。本発明の実施例によれば，ＣＲＮＣ（すなわちＤＲＮＣ）からＳＲＮＣへの通知は，Ｉｕｒインタフェース上の無線ネットワークサブシステムアプリケーション部（ＲＮＳＡＰ）メッセージ信号を用いて提供することができる。更に，結合能力情報はＳＲＮＣのメモリにも同様に記憶できることに注意されたい。
【００３６】
図１は，本発明の種々の実施例に適用するための，セル設定及び／又はソフトハンドオーバ（ＳＨＯ）の際に，無線通信システム１１のＵＴＲＡＮ（はん用移動体通信システム（ＵＭＴＳ）地上無線接続ネットワーク）１０１と通信するユーザ装置（ＵＥ）１０を示すブロック図の多くの中の例である。
【００３７】
図１に示すとおり，３Ｇ  ＷＣＤＭＡ（第３世代広帯域符号分割多元接続）によって無線通信を介して通信する際に，ＵＥ１０はいわゆるＵｕインタフェースを介してＵＴＲＡＮノードＢ（時には基地局とも呼ばれる）１２，１５，１６及び１７と通信することができる。次にＵＴＲＡＮノードＢ１２，１５，１６又は１７は，いわゆるＩｕｂインタフェースを介してＵＴＲＡＮ無線ネットワーク制御装置（ＲＮＣ）１４又は１８とそれぞれ通信することができる。そしてＲＮＣは，コアネットワーク（ＣＮ）エンティティ，及び移動体通信交換センタ（ＭＳＣ）又はサービス提供ＧＰＲＳ（はん用パケット無線システム）サポートノード（ＳＧＳＮ）のいずれか，といわゆるＩｕインタフェースを介して通信することができ，またいわゆるＩｕｒインタフェースを介してほかのＲＮＣとも通信することができる。Ｉｕインタフェースは，より詳細に言えばＵＴＲＡＮ  ＲＮＣとＭＳＣとの間のＩｕ回線交換インタフェースＩｕＣＳ，又はＵＴＲＡＮ  ＲＮＣとＳＧＳＮとの間のＩｕパケット交換インタフェースＩｕＰＳのいずれかである。ＵＥ１０は，無線デバイス，可搬デバイス，移動体通信デバイス，携帯電話機，などであってよい。
【００３８】
ＵＥ１０は，ノードＢ１２が支援するセルからノードＢ１５が支援する別のセルへＳＨＯを実行することができ，ノードＢ１２及び１５双方は，ＲＮＣ（すなわちＣＲＮＣ）１４が支援している。あるいはＵＥ１０は，ノードＢ１２が支援するセルから，別のＲＮＣ（すなわちＣＲＮＣ）１８が支援するノードＢ１６又は１７が支援するセルへＳＨＯを実行することができる。双方の状況は，ここに説明する本発明の種々の実施例によって考慮される。
【００３９】
図２は，本発明の実施例によって，無線通信システム１１のノードＢ１６の結合能力情報を１又は複数の無線ネットワーク制御装置１８及び１４に通知するステップを示すブロック図の多くの中の詳細な例を示す。
【００４０】
図１の例においてノードＢ１６は，ノードＢアップリンク信号発生及び送信モジュール１６ａと，ノードＢスケジュールモジュール１６ｂと，ノードＢ受信器モジュール１６ｃと，ノードＢメモリ１６ｄと，を備える。ＲＮＣ（すなわちＣＲＮＣ）１８は，ＣＲＮＣアップリンク信号発生及び送信モジュール１８ａと，ＣＲＮＣスケジュールモジュール１８ｂと，ＣＲＮＣ受信器モジュール１８ｃと，ＣＲＮＣメモリ１８ｄと，を備える。最後に，図示のとおりＲＮＣ（すなわちＳＲＮＣ）１４は，ＳＲＮＣアップリンク信号発生及び送信モジュール１４ａと，ＳＲＮＣスケジュールモジュール１４ｂと，ＳＲＮＣ受信器モジュール１４ｃと，ＳＲＮＣメモリ１４ｄと，を備える。
【００４１】
ここに説明する実施例によれば，ノードＢ受信器モジュール１６ｃが信号３０ａとして転送されたセル設定３０を受信したときノードＢスケジュールモジュール１６ｂは，例えばノードＢメモリ１６ｄから取得したノードＢ１６の結合能力情報を含む結合能力信号３２を発生する。信号３２は，モジュール１６ａによって信号３２ａ（例えばＮＢＡＰ信号）としてＣＲＮＣ１８のＣＲＮＣ受信器モジュール１８ｃへ再送信される。ここで信号３２ａは，ＣＲＮＣスケジュールモジュール１８ｂ及びＣＲＮＣメモリ１８ｄへ信号３２ｂとして供給される。これが，ノードＢの結合能力情報をＣＲＮＣへ供給する第１ステップである。ＣＲＮＣ１８が，（例えばノードＢ１７からノードＢ１６への）ＳＨＯの際に，ノードＢ１６に接続されたＵＥのＳＲＮＣでもあるときは，ノードＢ結合能力に関する更なる通知は必要なく，ＣＲＮＣスケジュールモジュール１８ｂはノードＢ１６の結合能力指示（図２には示していない）を発生することができる。この指示は，ノードＢ１６の結合能力に関して受信した情報を用いて，例えばアップリンク強化専用チャネル（Ｅ−ＤＣＨ）上で受信したデータを結合するために結合能力が用いられることを規定する。
【００４２】
しかしここに説明する実施例によれば，例えばノードＢ１５からノードＢ１６へのＳＨＯ（図１を参照されたい）の際，ＣＲＮＣ１８がノードＢ１６に無線で接続したＵＥのＳＲＮＣでないときは，ＣＲＮＣスケジュールモジュール１８ｂは，例えばＣＲＮＣメモリ１８ｄから取得したノードＢ１６の結合能力情報を含む結合能力転送信号３２ｃを発生することができる（上述のとおり，信号３２ｃはノードＢ１６からの通知とは独立であってもよいし，その通知に続くものであってもよい）。信号３２ｃは，モジュール１８ａによって信号３２ｄ（例えばＲＮＳＡＰ信号）としてＳＲＮＣ１４のＳＲＮＣ受信器モジュール１４ｃへ供給される。ここで信号３２ｄは，信号３２ｅとしてＳＲＮＣスケジュールモジュール１４ｂへ供給され，また任意選択でＳＲＮＣメモリ１４ｄへ供給される。これが，ここに説明する本発明の種々の実施例を用いてノードＢの結合能力情報をＳＲＮＣに提供する第２ステップであり，このステップは第１ステップと独立に実行してもよいし，又は関連して実行してもよい。そしてＳＲＮＣスケジュールモジュール１４ｂは，ノードＢ１６に対する結合能力指示を発生することができる。この指示は，ノードＢ１６の結合能力に関して受信した情報（信号３４，３４ａ及び３４ｂを参照されたい）を用いて，例えばアップリンク強化専用チャネル（Ｅ−ＤＣＨ）上で受信したデータを結合するために結合能力が用いられることを規定する。
【００４３】
本発明の実施例によれば，モジュール１６ｂ，１８ｂ又は１４ｂは，ソフトウェア，ハードウェアブロック，又はそれらに組合せとして実現することができる。更に，モジュール１６ｂ，１８ｂ又は１４ｂは，別個のブロックとして実現してもよいし，対応するネットワーク要素１６，１８又は１４の任意の別の標準ブロックと結合してもよいし，その機能によっていくつかのブロックに分割してもよい。モジュール１６ａ，１６ｃ，１６ｄ，１８ａ，１８ｃ，１８ｄ，１４ａ，１４ｃ，１４ｄについても同様である。ネットワーク要素１６，１８又は１４のすべてのモジュール又は選択したモジュールは，集積回路を用いて実現してもよい。
【００４４】
図３は，本発明の実施例による，無線通信システムのノードＢの結合能力情報を，１又は複数の無線ネットワーク制御装置に通知するステップを示すフローチャートである。
【００４５】
図３のフローチャートは，多くの中の１つの可能なシナリオを表すものに過ぎない。図３に示すステップ順は絶対に必要なものではなく，それで一般には種々のステップをその順ではなく実行してもよい。本発明の第１実施例による方法において，第１ステップ４０において，ＲＮＣは（ＲＮＣのほかのセル設定と同時に）セル設定を開始する。次のステップ４２において，そのセルにサービスを提供するノードＢが，そのセルについての自己の結合能力を，そのノードＢの制御ＲＮＣ（ＣＲＮＣ）であるＲＮＣへ通知する。次のステップ４４においてＣＲＮＣは，受信情報をメモリに記憶する。そして次のステップ４６において，ＳＲＮＣ又はＣＲＮＣとしてサービス提供するＲＮＣ配下の無線リンク（ＲＬ）がユーザ装置（ＵＥ）に対して設定される。これに応答して次のステップ４８において，ＳＲＮＣが結合指示をノードＢに与える。
【００４６】
次のステップ５０において，ＵＥは別のＲＮＣ配下の更なるノードＢがサービスを提供する別のセルにＳＨＯを実行する。上記別のセルにサービスを提供する更なるノードＢは，別のセルが設定されたとき，上記別のＲＮＣに対して上記別のセルの更なるノードＢの結合能力を通知する。
【００４７】
次のステップ５２において，（ＤＲＮＣ／ＣＲＮＣとしてサービスを提供する）別のＲＮＣ配下のＲＬがＵＥに対して設定される。次のステップ５４において，更なるノードＢを介して上記別のセルにサービスを提供するＲＮＣ／ＤＲＮＣは，その別のセルの隣接セルの更なるノードＢの結合能力をＳＲＮＣ（ノードＢを介してセルにサービスを提供するＲＮＣ）へ通知する。最後にステップ５６において，ＵＥが上記別のセルの隣接セルへＳＨＯを実行するとき，ＳＲＮＣはその情報を用いて，例えばアップリンク強化専用チャネル（Ｅ−ＤＣＨ）上で受信したデータを結合するために用いる結合種別に関して，ＤＲＮＣを介して更なるノードＢに指示を与える。
【００４８】
表１及び表２に本発明を実現する例を示す。表１は，本発明の一実施例による標準化の例であって3GPP TS25.433 v.6.9.0，9.2.2.13Xに関連し，ここで説明した結合能力情報を通知するためのステップ１に対応するＮＢＡＰメッセージに，局所セルのＥ−ＤＣＨ  ＨＡＲＱ結合能力を規定するために，「情報要素種別及び参照」の列に示す１つの情報要素を導入している。
【表１】
2009515396.tif 000003
【００４９】
表２は，本発明の別の実施例による別の標準化例であって3GPP TS25.423 v6.9.0，9.2.2.Dに関連し，ここに説明した結合能力情報を通知するステップ２に対応するＲＮＳＡＰメッセージに，セルが対応している機能を示すために，セル能力コンテナＦＤＤを用いて２つの情報要素（ＩＥ）を導入している。表２の「意味の説明」の列内の第１３ビット及び第１４ビットについて大きなサイズのフォントで強調表示したテキストがこれら２つのＩＥに対応する。第１の新規ＩＥ（第１３ビット）はＩＲ結合に対応しているかどうかを示し，第２の新規ＩＥはＣｈａｓｅ結合に対応しているかどうかを示す。これら２つのＩＥは双方ともＲＮＳＡＰのセル能力コンテナＦＤＤ  ＩＥに導入される。
【表２】
2009515396.tif 000004
【００５０】
上記のとおり本発明は，方法と，この方法のステップを実行する機能を提供する種々のモジュールからなる対応する装置と，の双方を提供する。モジュールはハードウェアとして実現してもよいし，計算機プロセッサで実行するソフトウェア又はファームウェアとして実現してもよい。特にファームウェア又はソフトウェアの場合，本発明は，計算機プロセッサが実行する計算機プログラムコード（すなわちソフトウェア又はファームウェア）を組み込んだ計算機可読記憶構造を含む計算機プログラム製品として提供することができる。
【００５１】
また，ここで述べた本発明の種々の実施例は，個別に用いてもよいし，特定アプリケーションと組み合わせて，又は選択的に組み合わせてもよい。
【００５２】
上述の構成は，本発明の原理の応用を示すに過ぎないことを理解されたい。当業者であれば，本発明の範囲を逸脱することなく多くの修正物及び代替構成物を考案することができるであろう。したがって本願請求項は，そのような修正物及び構成物を含むものとする。
【図面の簡単な説明】
【００５３】
【図１】本発明の種々の実施例を提供する，セル設定及び／又はソフトハンドオーバ（ＳＨＯ）の際，ＵＴＲＡＮと通信するユーザ装置（ＵＥ）を示すブロック図である。
【図２】本発明の実施例による，１又は複数の無線ネットワーク制御装置への無線通信システムのノードＢの結合能力情報通知を示すブロック図である。
【図３】本発明の実施例による，１又は複数の無線ネットワーク制御装置へ無線通信システムのノードＢの結合能力情報を通知するステップを示すフローチャートである。
【図１】
2009515396.tif 000005
【図２】
2009515396.tif 000006
【図３】
2009515396.tif 000007
【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
無線通信システムのセルのノードＢの結合能力情報を少なくとも１つの無線ネットワーク制御装置に通知する通知ステップを有する方法。
【請求項２】
前記結合能力情報は，前記ノードＢが前記セルに関して，増分冗長結合，Ｃｈａｓｅ結合，又は前記増分冗長結合及びＣｈａｓｅ結合双方，に対応しているかどうかを示す１つの情報要素を含む請求項１に記載の方法。
【請求項３】
前記結合能力情報は，２つの情報要素を含み，前記２つの情報要素の１つは前記ノードＢが前記セルに関して増分冗長結合に対応するように構成されているかどうかを示し，前記２つの情報要素のもう１つは前記ノードＢが前記セルに関してＣｈａｓｅ結合に対応するように構成されているかどうかを示す請求項１に記載の方法。
【請求項４】
前記結合能力情報は，１又は複数の情報要素を含む請求項１に記載の方法。
【請求項５】
前記結合能力情報は，アップリンク強化専用チャネル上で受信されたデータを結合するためのものとする請求項１に記載の方法。
【請求項６】
前記通知ステップは，前記ノードＢが前記セルの前記ノードＢの前記結合能力情報を，前記少なくとも１つの無線ネットワーク制御装置の前記ノードＢを支援する無線ネットワーク制御装置に提供する提供ステップを含む請求項１に記載の方法。
【請求項７】
前記結合能力情報は，ユーザ装置との通信を提供するためのセル設定中に，前記ノードＢが前記ノードＢを支援する前記無線ネットワーク制御装置に提供する請求項６に記載の方法。
【請求項８】
前記提供ステップは，ノードＢアプリケーション部メッセージ信号を用いて実現する請求項６に記載の方法。
【請求項９】
前記ノードＢを支援する前記無線ネットワーク制御装置が，前記結合能力情報を記憶するステップを更に有する請求項６に記載の方法。
【請求項１０】
前記通知ステップが更に，前記ノードＢを支援する前記無線ネットワーク制御装置が，前記セルの前記ノードＢの前記結合能力情報を前記少なくとも１つの無線ネットワーク制御装置の更なるノードＢを支援する更なる無線ネットワーク制御装置に提供する更なる提供ステップを有し，前記更なる無線ネットワーク制御装置はサービス提供無線ネットワーク制御装置とする請求項６に記載の方法。
【請求項１１】
前記ノードＢを支援する前記無線ネットワーク制御装置は，前記更なるノードＢが支援するセルから，前記ノードＢが支援する別のセルに前記ユーザ装置がソフトハンドオーバする際に，ユーザ装置との通信を提供する前記サービス提供無線ネットワーク制御装置を支援するドリフト無線ネットワーク制御装置として構成し，前記更なる提供ステップは，前記ユーザ装置の前記ソフトハンドオーバに応答して前記提供ステップの後で実行する請求項１０に記載の方法。
【請求項１２】
前記通知ステップは，前記ノードＢを支援する無線ネットワーク制御装置が前記セルの前記ノードＢの前記結合能力情報を前記少なくとも１つの無線ネットワーク制御装置の更なるノードＢを支援する更なる無線ネットワーク制御装置に提供するステップを有し，前記更なる無線ネットワーク制御装置はサービス提供無線ネットワーク制御装置とする請求項１に記載の方法。
【請求項１３】
前記提供ステップは，無線ネットワークサブシステムアプリケーション部メッセージ信号を用いて実現する請求項１２に記載の方法。
【請求項１４】
計算機プロセッサが実行するための計算機プログラムコードを組み込んだ計算機可読記憶構造を備えた計算機プログラム製品であって，前記計算機プログラムコードは請求項１に記載の方法を実行する命令を含む計算機プログラム製品。
【請求項１５】
通信システムのセルのノードＢの結合能力情報を少なくとも１つの無線ネットワーク制御装置に提供するように構成したスケジュールモジュールを備えるネットワーク要素。
【請求項１６】
前記結合能力情報を記憶するように構成したメモリを更に備える請求項１５に記載のネットワーク要素。
【請求項１７】
前記スケジュールモジュールが提供する前記結合能力情報を，前記少なくとも１つの無線ネットワーク制御装置に送信するように構成した送信モジュールを更に備える請求項１５に記載のネットワーク要素。
【請求項１８】
前記結合能力情報は，前記ノードＢが前記セルに関して，増分冗長結合，Ｃｈａｓｅ結合，又は前記増分冗長結合及びＣｈａｓｅ結合双方，に対応しているかどうかを示す１つの情報要素を含む請求項１５に記載のネットワーク要素。
【請求項１９】
前記結合能力情報は，２つの情報要素を含み，前記２つの情報要素の１つは前記ノードＢが前記セルに関して増分冗長結合に対応するように構成されているかどうかを示し，前記２つの情報要素のもう１つは前記ノードＢが前記セルに関してＣｈａｓｅ結合に対応するように構成されているかどうかを示す請求項１５に記載のネットワーク要素。
【請求項２０】
前記結合能力情報は１又は複数の情報要素を含む請求項１５に記載のネットワーク要素。
【請求項２１】
前記結合能力情報は，アップリンク強化専用チャネル上で受信されたデータを結合するためのものとする請求項１５に記載のネットワーク要素。
【請求項２２】
前記ネットワーク要素は前記ノードＢとし，前記セルの前記ノードＢの前記結合能力情報は，前記少なくとも１つの無線ネットワーク制御装置の前記ノードＢを支援する無線ネットワーク制御装置に提供される請求項１５に記載のネットワーク要素。
【請求項２３】
前記結合能力情報は，ユーザ装置との通信を提供するためのセル設定中に，前記ノードＢが前記ノードＢを支援する前記無線ネットワーク制御装置に提供する請求項２２に記載のネットワーク要素。
【請求項２４】
前記提供は，ノードＢアプリケーション部メッセージ信号を用いて実現する請求項２２に記載のネットワーク要素。
【請求項２５】
前記ネットワーク要素は，前記ノードＢを支援し，前記セルの前記ノードＢの前記結合能力情報を前記少なくとも１つの無線ネットワーク制御装置の更なるノードＢを支援する更なる無線ネットワーク制御装置に提供するように構成された無線ネットワーク制御装置とし，前記更なる無線ネットワーク制御装置はサービス提供無線ネットワーク制御装置とする請求項１５に記載のネットワーク要素。
【請求項２６】
前記セルの前記ノードＢの前記結合能力情報は，前記ノードＢが前記無線ネットワーク制御装置に前もって提供する請求項２５に記載のネットワーク要素。
【請求項２７】
前記無線ネットワーク制御装置は，無線ネットワークサブシステムアプリケーション部メッセージ信号を用いて前記セルの前記ノードＢの前記結合能力情報を提供するように構成する請求項２５に記載のネットワーク要素。
【請求項２８】
前記ノードＢを支援する前記無線ネットワーク制御装置は，前記更なるノードＢが支援するセルから，前記ノードＢが支援する別のセルに前記ユーザ装置がソフトハンドオーバする際に，ユーザ装置との通信を提供する前記サービス提供無線ネットワーク制御装置を支援するドリフト無線ネットワーク制御装置として構成する請求項２５に記載のネットワーク要素。
【請求項２９】
集積回路が前記ネットワーク要素のすべて又は選択されたブロック又はモジュールを含む請求項１５に記載のネットワーク要素。
【請求項３０】
ノードＢと，
少なくとも１つの無線ネットワーク制御装置と，
を備え，
セルの前記ノードＢの結合能力情報が前記少なくとも１つのネットワーク要素に提供される無線通信システム。
【請求項３１】
前記ノードＢは，前記結合能力情報を前記少なくとも１つの無線ネットワーク制御装置の前記ノードＢを支援する無線ネットワーク制御装置に提供するように構成する請求項３０に記載のシステム。
【請求項３２】
前記ノードＢを支援する前記無線ネットワーク制御装置は，前記結合能力情報を記憶するように構成する請求項３１に記載のシステム。
【請求項３３】
前記ノードＢを支援する前記無線ネットワーク制御装置は，前記セルの前記ノードＢの前記結合能力情報を前記少なくとも１つの無線ネットワーク制御装置の更なるノードＢを支援する更なる無線ネットワーク制御装置に提供するように更に構成し，前記結合能力情報は前記ノードＢが前記無線ネットワーク制御装置に前もって提供する請求項３１に記載のシステム。
【請求項３４】
前記ノードＢを支援する前記無線ネットワーク制御装置は，前記更なるノードＢが支援するセルから，前記ノードＢが支援する別のセルに前記ユーザ装置がソフトハンドオーバする際に，ユーザ装置との通信を提供する前記サービス提供無線ネットワーク制御装置を支援するドリフト無線ネットワーク制御装置として構成する請求項３３に記載のシステム。
【請求項３５】
通信システムのセルのノードＢの結合能力情報を少なくとも１つの無線ネットワーク制御装置に提供するスケジュール手段を備えるネットワーク要素。
【請求項３６】
前記結合能力情報を記憶する手段を更に備える請求項３５に記載のネットワーク要素。
【国際調査報告】
2009515396.tif 000008
2009515396.tif 000009
2009515396.tif 000010
2009515396.tif 000011